(57)【要約】【課題】捕球時に指の力が効率良く伝わる捕球具を提供する。【解決手段】捕球具は、受球面外皮（受球部）と背面外皮１０（背面部）とを含む外皮と、外皮内に挿入され、受球面外皮に沿って設けられる手掌部材１２Ａ（手掌部）と背面外皮１０に沿って設けられる手甲部材１２Ｂ（手甲部）とを含み、手掌部材１２Ａと手甲部材１２Ｂとの間に装着者の指を受け入れる複数の指部を有する内皮と、内皮の少なくとも１つの指部の付根部を形成する手甲部に縫着され、複数の指部が並ぶ方向に延在する帯状部材９とを備える。【選択図】        図２
2005040291.tif 000002
【特許請求の範囲】
【請求項１】
受球部（８）と背面部（１０）とを含む外皮（１Ａ）と、
前記外皮（１Ａ）内に挿入され、前記受球部（８）に沿って設けられる手掌部（１２Ａ）と前記背面部（１０）に沿って設けられる手甲部（１２Ｂ）とを含み、前記手掌部（１２Ａ）と前記手甲部（１２Ｂ）との間に装着者の指を受け入れる複数の指部を有する内皮（１２）と、
前記内皮（１２）の少なくとも１つの前記指部の付根部（１８）を形成する手甲部（１２Ｂ）に縫着され、前記複数の指部が並ぶ方向に延在する帯状部材（９）とを備えた捕球具。
【請求項２】
前記帯状部材（９）は、人差指部（４）、中指部（５）および薬指部（６）にわたって延在する、請求項１に記載の捕球具。
【請求項３】
前記帯状部材（９）は、前記指部の内皮（１２）よりも硬質である、請求項１または請求項２に記載の捕球具。
【請求項４】
受球部（８）と背面部（１０）とを含む外皮（１Ａ）と、
前記外皮（１Ａ）内に挿入され、前記受球部（８）に沿って設けられる手掌部（１２Ａ）と前記背面部（１０）に沿って設けられる手甲部（１２Ｂ）とを含み、前記手掌部（１２Ａ）と前記手甲部（１２Ｂ）との間に装着者の指を受け入れる複数の指穴を形成する複数の指部を有する内皮（１２）と、
装着者の手を前記手掌部（１２Ａ）と前記手甲部（１２Ｂ）との間に挿入するための手口挿入部（１６）と、
前記指穴の開口部と前記手甲部（１２Ｂ）との間に位置する前記背面部（１０）の内側に、前記指穴の開口部が並ぶ方向に延在し、前記手甲部（１２Ｂ）と前記背面部（１０）との双方に縫着される帯状部材（９）とを備えた捕球具。
【発明の詳細な説明】
【０００１】
【発明の属する技術分野】
本発明は、捕球具に関し、特に、野球またはソフトボール用に用いる捕球具に関する。
【０００２】
【従来の技術】
一般に、野球またはソフトボール用に用いる捕球具（グラブなど）は、たとえば、天然皮革、合成皮革などの素材からなる受球面外皮と背面外皮とを縫合した表皮（外皮）の内部に、たとえば、天然皮革、合成皮革などの素材からなる手掌部材と手甲部材とを縫合した内皮を挿入し、受球面外皮と手掌部材との間に、たとえばフェルトなどの芯材を設けて、外皮と内皮とを縫合した後、皮紐で締結して形成する。
【０００３】
ところで、上記の内皮には、装着者の各指を受け入れる袋状または筒状の指部が設けられるが、各指部基部における指の挿入口は、一般的な指の太さに対して大きくなるように形成されている。したがって、装着者の手の大きさによっては、指部基部における指の遊びが大きくなり、フィット感に欠ける、または、捕球時に指の力を効率良くグラブに伝えることができない構造となる場合がある。
【０００４】
これに対し、たとえば実公平５−２２２号公報（従来例１）においては、少なくとも中３本指（人差指、中指および薬指）を挿入する各別の指掛け具を、各指のグローブ指への指挿入口から離れた手前位置に設け、指掛け具を、その指掛け具によって形成される指挿入孔の内径が伸縮自在になるように、この指掛け具の指の腹側に位置する側の皮（手掌部材）に止めてある野球用グローブが開示されている。
【０００５】
【特許文献１】
実公平５−２２２号公報
【０００６】
【発明が解決しようとする課題】
従来例１においては、指掛け具を前皮（手掌部材）に縫い糸のように通し、その一端を前皮または内側外皮（受球面外皮）に縫合し、他端を外側外皮（背面外皮）上まで伸ばして、長さ調節が可能な構造としている。これにより、指挿入口の大きさを調整することができる。
【０００７】
しかしながら、このような構造においては、紐（指掛け具）を締めて指を固定するため、紐を強く締め過ぎると、略袋状の指部内で指が一方に偏ったり、指の動きが阻害されたりする場合がある。また紐の締め方が緩いと、指の挿入口の大きさの調整が不十分となる場合がある。この結果、いずれの場合においても、グラブ使用時に指の力を十分にグラブに伝えることができない。
【０００８】
本発明は、上記のような事情に鑑みてなされたものであり、本発明の目的は、捕球時に指の力が効率良く伝わる捕球具を提供することにある。
【０００９】
【課題を解決するための手段】
本発明に係る捕球具は、１つの局面では、受球部と背面部とを含む外皮と、外皮内に挿入され、受球部に沿って設けられる手掌部と背面部に沿って設けられる手甲部とを含み、手掌部と手甲部との間に装着者の指を受け入れる複数の指部を有する内皮と、内皮の少なくとも１つの指部の付根部を形成する手甲部に縫着され、複数の指部が並ぶ方向に延在する帯状部材とを備える。
【００１０】
これにより、外皮と内皮とを結合する際に、帯状部材を設置した部分においては、該部材を介して内皮と外皮とを縫着することとなる。その結果、当該部分（指部の付根部）における上記の外皮および内皮の幅を合わせるために、手甲部（内皮）を引張る必要がないので、該付根部において指穴を拡張することがなく、捕球時に指の力が効率良く伝わる構造とすることができる。
【００１１】
帯状部材は、人差指部、中指部および薬指部にわたって延在することが好ましい。
【００１２】
これにより、上記の指穴の拡張が、捕球時の指の力の伝わり方の効率に最も影響しやすい部分において、その拡張を抑制することができる。
【００１３】
帯状部材は、指部の内皮よりも硬質であることが好ましい。
これにより、帯状部材を背面部（外皮）に縫着する際に、該帯状部材に縫着された手甲部材（内皮）が伸びるのを防止することができる。この結果、上述した指穴の拡張を抑制する効果をさらに高めることができる。
【００１４】
本発明に係る捕球具は、他の局面では、受球部と背面部とを含む外皮と、外皮内に挿入され、受球部に沿って設けられる手掌部と背面部に沿って設けられる手甲部とを含み、手掌部と手甲部との間に装着者の指を受け入れる複数の指穴を形成する複数の指部を有する内皮と、装着者の手を手掌部と手甲部との間に挿入するための手口挿入部と、指穴の開口部と手甲部との間に位置する背面部の内側に、指穴の開口部が並ぶ方向に延在し、手甲部と背面部との双方に縫着される帯状部材とを備える。
【００１５】
これにより、上述した内容と同様の効果を奏する。
【００１６】
【発明の実施の形態】
以下に、本発明に基づく捕球具の実施の形態について説明する。
【００１７】
まず、本願明細書において「捕球具」とは、野球またはソフトボール用グラブやミットなどのボールを捕えるための用具のことである。
【００１８】
本実施の形態に係る捕球具は、受球面外皮（受球部）と背面外皮（背面部）とを含む外皮と、外皮内に挿入され、受球面外皮に沿って設けられる手掌部材（手掌部）と背面外皮に沿って設けられる手甲部材（手甲部）とを含み、手掌部材と手甲部材との間に装着者の指を受け入れる複数の指部を有する内皮と、内皮の少なくとも１つの指部の付根部を形成する手甲部に縫着され、複数の指部が並ぶ方向に延在する帯状部材とを備える。
【００１９】
一般に、捕球時に効率良く指の力が伝わるように、指部の付根部の太さを決定した場合、該付根部において、外皮よりも内皮の幅（各指の延在方向に略垂直な方向における長さ）が小さくなる。したがって、従来の捕球具においては、当該部分の背面外皮と手甲部材（内皮）とを縫着する際に、手甲部材を引張ることにより、外皮および内皮双方の幅を合わせる必要がある。この結果、指部の付根部において、指穴が拡張し、フィット感に欠ける、または捕球時に指の力が効率良く捕球具に伝わらないこととなる。
【００２０】
これに対し、本実施の形態に係る捕球具においては、外皮と内皮とを結合する際に、帯状部材を設置した部分においては、該部材を介して内皮と外皮とを縫着することとなる。その結果、指部の付根部において手甲部材（内皮）を引張る必要がないので、該付根部において指穴が拡張するのを抑制することができる。
【００２１】
帯状部材は、１つの指部にのみ設置してもよいし、親指から小指まで全ての指部にわたって設けてもよい。また、該部材を、全ての指部のうち一定の範囲内（たとえば人差指部と中指部）にのみ設置してもよい。
【００２２】
この帯状部材の設置について、最も好ましい形態としては、たとえば、該部材が、人差指部、中指部および薬指部にわたって延在する場合が考えられる。
【００２３】
一般に、親指部および小指部においては、指の太さに対して指袋が大きい場合も、該袋内に指の太さに合わせた袋状の部材を挿入するなどしてフィット感などを向上させることができる。
【００２４】
一方、人差指部、中指部および薬指部においては、指のフィット感などを向上させるために、付根部の指穴の幅を比較的小さく形成する必要性がより大きい。しかし、外皮と内皮との縫着の際に、手甲部材（内皮）を引張ることにより双方の幅を合わせると、指穴の幅を小さくした効果が減じることとなる。
【００２５】
これに対し、本実施の形態に係る捕球具においては、これらの指部に上述した帯状部材を設置することにより、指穴の拡張を抑制し、指のフィット感などを向上させることができる。
【００２６】
帯状部材は、指部の手掌部材および手甲部材（内皮）よりも硬質であることが好ましい。
【００２７】
これにより、上記の帯状部材と背面外皮とを縫着する際に、該帯状部材に縫着された手甲部材（内皮）が伸びるのを防止することができる。この結果、上述した指穴の拡張を抑制する効果をさらに高めることができる。
【００２８】
上述した捕球具の構成について換言すると以下のようになる。すなわち、本実施の形態に係る捕球具は、受球部材と背面外皮とを含む外皮と、外皮内に挿入され、受球部材に沿って設けられる手掌部材と背面外皮に沿って設けられる手甲部材とを含み、手掌部材と手甲部材との間に装着者の指を受け入れる複数の指穴を形成する複数の指部を有する内皮と、装着者の手を手掌部材と手甲部材との間に挿入するための手口挿入部と、指穴の開口部と手甲部材との間に位置する背面外皮の内側に、指穴の開口部が並ぶ方向に延在し、手甲部材と背面外皮との双方に縫着される帯状部材とを備える。
【００２９】
【実施例】
以下に、本発明に基づく捕球具の実施例について、図１から図３を用いて説明する。
【００３０】
図１は、本実施例に係る捕球具としての野球用またはソフトボール用グラブの正面図である。また、図２は、上記グラブの内部の構造を示した図である。
【００３１】
本実施例に係るグラブ１は、図１および図２に示すように、受球面部を含む受球面外皮８と、手甲部を含む背面外皮１０とを皮紐などを用いて結合して形成される外皮１Ａを備える。この外皮１Ａは、たとえば天然皮革あるいは人工皮革などの素材を主体とした材料により構成される。
【００３２】
外皮１Ａは、図１に示すように、親指を受け入れる親指袋（第１指袋）２と、人差指を受け入れる人差指袋（第２指袋）４と、中指を受け入れる中指袋（第３指袋）５と、薬指を受け入れる薬指袋（第４指袋）６と、小指を受け入れる小指袋（第５指袋）７と、親指袋２と人差指袋４間に設けられたウェブ部３と、グラブ１内に手を挿入するための手口挿入部１６とを備える。
【００３３】
また、グラブ１は、図２に示すように、背面外皮１０に、プレイヤーの手の甲の一部を露出させる開口部１１を設けているが、この開口部１１は省略可能である。なお、図２では、説明の便宜上、開口部１１よりも手首側に位置する部分の図示を省略している。
【００３４】
グラブ１は、上述の外皮の内側に、手掌部材１２Ａと手甲部材１２Ｂとを備える内皮を挿入し、この内皮と外皮とを皮紐などを用いて結合するなどして形成される。なお、図２に示すように、第２から第４指袋（人差指袋から薬指袋）にわたって、指の挿入口の手口挿入部１６側に、背面外皮１０に沿うように帯状部材９が延在している。
【００３５】
内皮の形状の一例を図３に示す。図３に示すように、内皮１２は、手掌側に配置される手掌部材１２Ａと、手甲側に配置される手甲部材１２Ｂとを縫着することにより形成されている。
【００３６】
この内皮１２は、親指を受け入れる親指部（第１指部）と、人差指を受け入れる人差指部（第２指部）と、中指を受け入れる中指部（第３指部）と、薬指を受け入れる薬指部（第４指部）と、小指を受け入れる小指部（第５指部）とを有する。ここで、上記の第１から第５指部を構成する指部部材１４（たとえば１４Ａ，１４Ｂ，１４Ｃ），１５（たとえば１５Ａ，１５Ｂ，１５Ｃ）は、図３に示すように、先端部１７が開口するようにして縫着されている。また、親指部と小指部には、各指部内において指を固定するための指掛け１３が設けられている。
【００３７】
なお、手掌部材１２Ａおよび手甲部材１２Ｂには、グラブを装着したときの感触を考慮して、軟らかくなめした革を使用している。
【００３８】
帯状部材９は、指部の付根部１８において手甲部材１２に縫着されており、上述したとおり、第２から第４指部（人差指部から薬指部）にわたって延在している。内皮１２を外皮に取りつける際は、帯状部材９を手甲側に折り返し、その折り返した部分を背面外皮１０に縫着する。
【００３９】
ところで、第２から第４指部における指挿入口の大きさについては、捕球時の指の力の伝わりが良くなる程度の大きさとしており、これにより、指部の付根部１８付近における帯状部材９の長さ（図３中のＬ）が決定されている。
【００４０】
ここで、上記のように帯状部材９を介して内皮を外皮に取りつけることにより、その縫着の際に、付根部１８付近における手甲部材１２Ｂを、この部分に相当する外皮に縫着するために、該部材１２Ｂを引張る必要がなく、結果として、指（本実施例では人差指、中指および薬指）の挿入口が幅方向に広がるのを抑制することができる。
【００４１】
なお、帯状部材９としては、手掌部材１２Ａおよび手甲部材１２Ｂよりも硬質の革などを使用している。これにより、帯状部材９を背面外皮１０に縫着する際に、該部材９に縫着された手甲部材１２Ｂが伸びるのを防止することができるので、指の挿入口の広がりを抑制する効果をさらに高めることができる。
【００４２】
また、手甲部材１２Ｂよりも硬質の帯状部材９を折り返して縫着することにより、付根部１８付近において、手甲部材１２Ｂを手掌部材１２Ａ側に押しつけて、指挿入口の広がりをより小さくする効果が得られる。
【００４３】
上述した構成により、グラブ１は、フィット感に優れた、捕球時に指の力が効率良く伝わる捕球具となる。
【００４４】
また、別の観点では、グラブ１は、装着者の汗などに対して、耐久性の高い捕球具となる。
【００４５】
以上、本発明の実施の形態および実施例について説明したが、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【００４６】
【発明の効果】
本発明によれば、内皮における指挿入口を広げることなく、該内皮を外皮（受球面皮および背面皮）に縫着することができるので、捕球時に指の力を効率良くグラブに伝えることができる。
【図面の簡単な説明】
【図１】本発明の１つの実施例に係る野球またはソフトボール用グラブの正面図である。
【図２】本発明の１つの実施例に係る野球またはソフトボール用グラブの内部の構成を示す図である。
【図３】本発明の１つの実施例に係る野球またはソフトボール用グラブの内皮の上面図である。
【符号の説明】
１  グラブ、２  親指袋、３  ウェブ部、４  人差指袋、５  中指袋、６  薬指袋、７  小指袋、８  受球面外皮、９  帯状部材、１０  背面外皮、１１  開口部、１２  内皮、１２Ａ  手掌部材、１２Ｂ  手甲部材、１３  指掛け、１４Ａ，１４Ｂ，１４Ｃ  指部部材（手掌部材）、１５Ａ，１５Ｂ，１５Ｃ  指部部材（手甲部材）、１６  手口挿入部、１７  先端部、１８  付根部。
【図１】
2005040291.tif 000003
【図２】
2005040291.tif 000004
【図３】
2005040291.tif 000005